(57)【要約】【課題】壁面に沿って敷設され、隣接して他のケーブルがあるような狭い部分においても設置することができ、また、主光ケーブルとドロップ光ケーブルの接続作業が容易でコスト的にも安価なクロージャを提供する。【解決手段】多数本の光ファイバを収納した主光ケーブル２から所定数の光ファイバを分岐し、ファイバ接続部４及びファイバ余長を保護する光ケーブル用クロージャである。クロージャ筐体は、軸方向に沿って２分割された第１と第２のスリーブからなり、第１のスリーブ５の端部に主光ケーブル２の導入部を挿入把持するスリット７ａを入れた第１のシール部材７を配し、第２のスリーブ６の端部に分岐用光ケーブル３の導入部を挿入把持するスリット８ａを入れた第２のシール部材８を配し、第１のシール部材７のスリット方向と第２のシール部材８のスリット方向を互いに異ならせる。【選択図】図１
2005140826.tif 000002
【特許請求の範囲】
【請求項１】
多数本の光ファイバを収納した主光ケーブルから所定数の光ファイバを分岐し、ファイバ接続部及びファイバ余長を保護する光ケーブル用クロージャであって、
クロージャ筐体は軸方向に沿って２分割された第１と第２のスリーブからなり、第１のスリーブの端部に前記主光ケーブルの導入部を挿入把持するスリットを入れた第１のシール部材を配し、第２のスリーブの端部に分岐用光ケーブルの導入部を挿入把持するスリットを入れた第２のシール部材を配し、前記第１のシール部材のスリット方向と前記第２のシール部材のスリット方向を互いに異ならせたことを特徴とする光ケーブル用クロージャ。
【請求項２】
前記第１のシール部材のスリットの入口部分を、前記第２のスリーブの筐体壁で閉鎖することを特徴とする請求項１に記載の光ケーブル用クロージャ。
【請求項３】
前記第１及び第２のシール部材は、発泡構造の弾性体で形成されていることを特徴とする請求項１又は２に記載の光ケーブル用クロージャ。
【請求項４】
前記第１のスリーブの深さは、前記第２のスリーブの深さより小さく形成されていることを特徴とする請求項１又は２に記載の光ケーブル用クロージャ。
【請求項５】
前記第1及び第２のスリーブは透明な樹脂で形成されていることを特徴とする請求項１又は２に記載の光ケーブル用クロージャ。
【請求項６】
単一のファイバ接続部及びファイバ余長が収納される余長収納ケースに分岐用光ケーブルを把持する把持部を設け、前記余長収納ケースの複数個を収納装置に着脱可能に積層収納する構成を特徴とする請求項１又は２に記載の光ケーブル用クロージャ。
【請求項７】
複数のファイバ接続部及びファイバ余長が収納される余長収納トレイと、分岐用光ケーブルを把持する把持部とを備え、前記余長収納トレイは前記主光ケーブルの軸方向に平行な軸に対して回動可能であることを特徴とする請求項１又は２に記載の光ケーブル用クロージャ。
【発明の詳細な説明】
【技術分野】
【０００１】
本発明は、多数本の光ファイバを収納した光ケーブルから所定数の光ファイバを分岐して引落とす際に、ファイバ接続部及びファイバ余長等を筐体で覆って保護する光ケーブル用クロージャに関する。
【背景技術】
【０００２】
多数本の光ファイバを収納した主光ケーブルから所定数の光ファイバを分岐し、これに分岐用光ケーブル（通常、引落とし光ケーブル、ドロップ光ケーブルとも言われている）を接続するのに、光ケーブル用クロージャ（以下、単にクロージャという）が用いられる。光ファイバの分岐に際しては、主光ケーブルの外被が所定長さ除去され、所定の光ファイバを光ケーブルから引出して切断し、この切断した光ファイバに分岐用光ケーブル（以下、ドロップ光ケーブルという）の光ファイバを接続する。このときのファイバ接続部と所定長さのファイバ余長は、余長収納ケース或いは余長収納トレイに入れて整理され、外被が除去されたケーブル部分を含めてクロージャで囲って、外部から保護している。
【０００３】
クロージャは、屋外用のものは光ケーブルの導入部分である両端部をゴムパッキン等による水密の密封構造とされ、通常、水平に布設された光ケーブルに支持させる形状で、開閉構造のものが用いられている（例えば、特許文献１参照）。また、クロージャを光ケーブルの軸方向に沿って２分割し、分岐作業終了後に互いに組付けて締付けバンド等により閉塞する構造のものもある（例えば、特許文献２参照）。
【特許文献１】特開２００２−２４３９５１号公報（図１，５、１０，１３）
【特許文献２】特開２００１−３５００２９号公報（図１）
【発明の開示】
【発明が解決しようとする課題】
【０００４】
上述した従来のクロージャは、光ケーブルが単体で敷設された環境下での使用を意図したもので、例えば、屋内の狭い場所で、また、他の電気ケーブル等が隣接するような場所に設置するには適していない構造のものである。例えば、集合住宅やオフィスビル等における光ケーブルの敷設では、光ケーブルは壁面に沿って敷設されると共に、電気ケーブル等の他のケーブル類と隣接して敷設されることが多い。このような敷設環境下にある光ケーブルから光ファイバを引落とすのに適した作業性のよいクロージャの要求が高まっている。
【０００５】
本発明は、上述した実情に鑑みてなされたもので、壁面に沿って敷設され、隣接して他のケーブルがあるような狭い部分においても設置することができ、また、主光ケーブルとドロップ光ケーブルの接続作業が容易でコスト的にも安価なクロージャの提供を課題とする。
【課題を解決するための手段】
【０００６】
本発明による光ケーブル用クロージャは、多数本の光ファイバを収納した主光ケーブルから所定数の光ファイバを分岐し、ファイバ接続部及びファイバ余長を保護する光ケーブル用クロージャである。クロージャ筐体は、軸方向に沿って２分割された第１と第２のスリーブからなり、第１のスリーブの端部に主光ケーブルの導入部を挿入把持するスリットを入れた第１のシール部材を配し、第２のスリーブの端部に分岐用光ケーブルの導入部を挿入把持するスリットを入れた第２のシール部材を配し、第１のシール部材のスリット方向と第２のシール部材のスリット方向を互いに異ならせる。
【０００７】
また、第１のスリーブのシール部材スリットの入口を、第２のスリーブの筐体壁で閉鎖するような構造で、第１のスリーブの深さは、前記第２のスリーブの深さより小さくし、シール部材は発泡構造の弾性体を用いる。さらに、積層収納するファイバ接続部及びファイバ余長の複数の収納ケースを用いる場合には、各収納ケースに分岐用光ケーブルを把持する把持部を設ける。複数のファイバ接続部及びファイバ余長が収納される余長収納トレイを用いる場合には、余長収納トレイを回動可能に取付ける。
【発明の効果】
【０００８】
上記の本発明の構成によれば、光ケーブルが敷設されている背面側、両側面側のスペースが小さくても、光ファイバ用クロージャの設置を可能とし、また、分岐、引落とし作業も容易に行なうことができる。
【発明を実施するための最良の形態】
【０００９】
図１〜図５により第１の実施形態を説明する。図１は本発明の第１の実施形態の概略を説明する図で、図１（Ａ）は側断面図、図１（Ｂ）は図１（Ａ）のｂ−ｂ方向側面図、図１（Ｃ）は同ｃ−ｃ方向側面図である。図２はクロージャ筐体の概略を説明する図で、図２（Ａ）は組付け前の状態を示す図、図２（Ｂ）は組付け後の状態を示す図である。図中、１は光ファイバ用クロージャ（クロージャ）、２は主光ケーブル、３は分岐用光ケーブル（ドロップ光ケーブル）、２ａ，３ａは光ファイバ、４はファイバ接続部、５は第１のスリーブ、６は第２のスリーブ、７は第１のシール部材、８は第２のシール部材、７ａ，８ａはスリット、９は把持部材、１０は支持フレーム、１１は余長収納部、１２はガイド部を示す。
【００１０】
図１に示すように、クロージャ１は、断面が長方形で縦長のスリーブで２分割できるように形成され、多数本の光ファイバを収納した主光ケーブル２の分岐部分に取付けられる。主光ケーブル２は、例えば、屋内の壁部Ｗに沿って下方から上方に向かって立ち上げられ、その分岐部分の外被を剥ぎとって所定の光ファイバ２ａを引出し、ドロップ光ケーブル３の光ファイバ３ａと接続される。光ファイバ２ａと３ａのファイバ接続部４及びその余長部分は、余長収納部１１で整理収納されて主光ケーブル２に支持される。なお、余長収納部１１の構成については後述する。
【００１１】
主光ケーブル２の分岐部分の両端部には、ケーブル外被を把持する把持部材９が取付けられ、この把持部材９を介して取付けた支持フレーム１０により余長収納部１１が支持される。また、この支持フレーム１０には、ガイド部１２が設けられていて、主光ケーブル２から引出された光ファイバ２ａが所定の曲げ半径以下に曲げられないようにしている。主光ケーブル２に対する引落とし作業は、スペース的に余裕のある前面（図１に作業面側と表示）から行なわれるものとする。
【００１２】
クロージャ筐体となるスリーブは、図１（Ｂ），図１（Ｃ）及び図２に示すように、ケーブル軸方向に沿って２分割された第１のスリーブ５と第２のスリーブ６で形成され、両スリーブを主光ケーブル２及び余長収納部１１を覆うようにして取付けられる。第１のスリーブ５は、底壁部５ａ、側壁部５ｂ及び５ｃ、端壁部５ｄからなる舟形で形成され、端壁部５ｄには第１のシール部材７が配される。また、第２のスリーブ６は、底壁部６ａ、側壁部６ｂ及び６ｃ、端壁部６ｄからなる舟形で形成され、端壁部６ｄには第２のシール部材８が配されている。
【００１３】
第１のシール部材７には、弾性的に撓んで主光ケーブル２を挿入把持するスリット７ａが設けられ、第２のシール部材８には、弾性的に撓んでドロップ光ケーブル３を挿入把持するスリット８ａが設けられている。第１のシール部材７のスリット７ａは、スリット方向が側壁部５ｂ及び５ｃを横切る方向に形成され、主光ケーブル２は側壁５ｂ側から挿入される。これに対し、第２のシール部材８のスリット８ａは、スリット方向が底壁部６ａを横切る方向に形成され、ドロップ光ケーブル３はスリーブ６の開口方向から挿入される。すなわち、第１のシール部材７と第２のシール部材８のスリット方向が互いに異ならせてあり、主光ケーブル２とドロップ光ケーブル３との挿入方向が異なっている。
【００１４】
上述した第１及び第２のスリーブ５，６でケーブル分岐部分を覆うには、先ず、第１のスリーブ５の側壁５ｂ側から主光ケーブル２を挿入し、第１のシール部材７のスリット７ａに挿入把持させて、第１のスリーブ５を主ケーブル２上に取付ける。この後、作業面側から、ケーブル分岐部分の外被の除去際を把持部材９により把持して、支持フレーム１０、余長収納部１１、ガイド部１２等を主光ケーブル２上に支持させる。そして、主光ケーブル２から分岐する光ファイバ２ａの取出し、ドロップ光ケーブル３との接続を行ない、後述する余長収納ケースを用いて余長収納部１１にファイバ接続部４及び余長を収納する。なお、第１のスリーブ５の取付けは、これらの分岐作業を終えた後に行なってもよい。
【００１５】
次いで、第２のスリーブ６の開口部側（底壁部６ａの反対側）から複数本のドロップ光ケーブル３を順次挿入し、第２のシール部材８のスリット８ａに挿入把持させ、側壁部６ｂ，６ｃを第１のスリーブ５の側壁部５ｂ，５ｃに一致させて側壁部を閉塞し、その組付けを締付けバンド等の適当な緊諦手段（図示せず）により固定する。このとき、第２のスリーブ６の側壁部６ｂが第１シール部材７のスリット７ａの入口を塞ぎ、主ケーブル２の挿入部が閉塞される。
【００１６】
また、第１のスリーブ５の深さは、第２のスリーブの深さより浅く、主光ケーブル２を僅かに覆う程度の深さで形成されているのが好ましい。第１のスリーブ５は、壁面Ｗ側の狭い部分で主光ケーブル２に取付けるので、深さが大きいと主光ケーブル２への取付け困難となったり、作業性が低下する可能性がある。第２のスリーブ６は、第１のスリーブに作業面側から嵌め込むだけでよいので、実質的に第２のスリーブ６で主たる囲いを形成する構成とするのが望ましい。
【００１７】
また、第１及び第２のシール部材７及び８は、クロージャが屋内での使用に限られる場合は、発泡構造の弾性体（例えば、スポンジ状のもの）を用いることができる。屋内用の場合は、ケーブルの導入部分を水密構造とする必要がないので、ケーブルの挿入が容易でコスト的にも安価なシール部材を用いることができる。
【００１８】
図３〜図４は、余長収納部１１の構成の概略を説明する図で、図３（Ａ）は図１（Ａ）を矢印ａ−ａ方向から見た図、図３（Ｂ）は図３（Ａ）の矢印ｄ−ｄ方向より見た正面図、図４は構成の詳細を示す立体図である。図中、１３は余長収納ケース、１４はファイバ接続部の挿着部、１５はケーブル把持部、１５ａはケーブル抑え片を示し、その他の符号は、図１で用いた符号を用いることにより説明を省略する。
【００１９】
主光ケーブル２から引出された分岐用の光ファイバ２ａと分岐用のドロップ光ケーブル３の光ファイバ３ａは、例えば、融着接続によって接続される。この接続によって生じた補強部材等による保護されたファイバ接続部４及び光ファイバ２ａ，３ａの余長は、例えば、図４に示すような余長収納ケース１３を用いて個別に収納保持させることができる。余長収納ケース１３は、プラスチック等により薄形の透明ケースで形成され、一方の縁部１３ａ側にファイバ接続部４を保持する挿着部１４及びドロップ光ケーブル３を保持するケーブル把持部１５が一体的に設けられ、また、光ファイバ３ａの余長を引き入れる開口１６が設けられている。他方の縁部１３ｂは、縁部１３ａがより厚みが薄くなるようにケース面をテーパ形状とし、余長収納部１１の積層スペース及び幅が小さくなるようにされている。
【００２０】
ケーブル把持部１５は、ドロップ光ケーブル３の外被部分を把持し、ケーブルの引出し方向が所定の方向に揃うようにケーブル抑え片１５ａを有し、作業時のケーブル取扱が楽になるようにしている。余長収納ケース１３への収納は、図３に示すように作業面側にて行なわれ、余長収納部１１の収納架には、左右両側から挿入され、テーパ形状を利用してコンパクトに収納させることができる。
なお、単一のファイバ接続部及び光ファイバを収納する余長収納ケースとしては、他に種々の形状のものが提案されているが、本発明では、これらの形状のものを用いることができ、図示のものに限定されない。
【００２１】
図５は、主光ケーブル２を把持する把持部材９の一例を示す図である。図中、１７は把持部材本体、１７ａはベース部、１７ｂはアーム部、１７ｃはフレーム支持部、１８ａ，１８ｂはクランプねじ、１８ｃは取付けねじを示す。把持部材本体１７は、金属の鋳造又はプラスチックの成形等より形成され、クランプねじ１８ａ，１８ｂを螺合させるアーム部１７ａ，１７ｂを有している。また、余長収納部やガイド部を設けるための支持フレームを取付けるフレーム支持部１７ｃを有し、取付けねじ１８ｃ等が配されている。
【００２２】
主光ケーブル２は、クランプねじ１８ａ，１８ｂの先端に取付けたクランプ片１９等によって把持固定される。なお、図３（Ａ）に示すように、壁面側に位置するクランプねじ（例えば、図５の１８ｂ）は、第１のスリーブ５の取付けによって回動操作ができなくなるので、主光ケーブル２の把持位置を予め推定して、クランプ片１９のクランプ位置を定めておき（固定としてもよい）、作業面側から操作が可能なクランプねじ１８ａだけの回動により把持固定するようにしてもよい。
【００２３】
図６〜図１１は第２の実施形態を説明する図である。図６は本発明の第２の実施形態の概略を説明する図で、図６（Ａ）は側断面図、図６（Ｂ）は図６（Ａ）のｂ−ｂ方向側面図、図６（Ｃ）は同ｃ−ｃ方向側面図である。図７は余長収納部２１の構成の概略を説明する図で、図７（Ａ）は図６（Ａ）を矢印ａ−ａ方向から見た図、図７（Ｂ）は図７（Ａ）の矢印ｄ−ｄ方向より見た正面図である。図中、２１は余長収納部、２２は余長収納トレイ、２３はトレイ蓋、２４はドロップ光ケーブル把持具を示し、その他の符号は、図１〜図５で用いたのと同じ符号を用いることにより説明を省略する。
【００２４】
図６に示すように、クロージャ１は、第１の実施形態と同様に、断面が長方形で縦長のスリーブで２分割して形成され、多数本の光ファイバ２ａを収納した主光ケーブル２の分岐部分に取付けられる。主光ケーブル２は、例えば、屋内の壁部Ｗに沿って下方から上方に向かって立ち上げられ、その分岐部分の外被を剥ぎとって所定の光ファイバ２ａを引出し、ドロップ光ケーブル３の光ファイバ３ａと接続される。光ファイバ２ａと３ａとの接続部及びその余長部分は、余長収納部２１で整理収納されて主光ケーブル２上に支持される。
【００２５】
主光ケーブル２の分岐部分の両端部には、ケーブル外被を把持する把持部材９が取付けられ、この把持部材９を介して取付けた支持フレーム１０により余長収納部２１が支持される。また、この支持フレーム１０には、ガイド部１２が設けられていて、主光ケーブル２から引出された光ファイバ２ａが所定の曲げ半径以下に曲げられないようにしている。主光ケーブル２からの引落とし作業は、スペース的に余裕のある前面から行なわれるものとする。ドロップ光ケーブル３はケーブル把持具２４により保持されて、余長収納部２１の下方側から導入される。
【００２６】
クロージャ筐体となるスリーブは、図２で説明したのと同様に、ケーブル軸方向に沿って２分割された第１のスリーブ５と第２のスリーブ６で形成され、両スリーブを主光ケーブル２及び余長収納部２１を覆うようにして取付けられる。第１のスリーブ５の両端の端壁部には第１のシール部材７が配され、第２のスリーブ６の両端の端壁部には第２のシール部材８が配されている。第１のシール部材７には、弾性的に撓んで主光ケーブル２を挿入把持するスリット７ａが設けられ、第２のシール部材８には、弾性的に撓んでドロップ光ケーブル３を挿入把持するスリット８ａが設けられている。第１のシール部材７と第２のシール部材８のスリット方向が互いに異ならせてあり、主光ケーブル２とドロップ光ケーブル３との挿入方向が異なっている。
【００２７】
余長収納部２１は、図７に示すように、複数のファイバ接続部及びファイバ余長を収納しうる余長収納トレイ２２を、１組又は２組を支持フレーム１０に支持させて配置される。この余長収納部２１は、図７（Ａ）に示すように、分岐作業時は、トレイ開放面側が作業面側を向くように回動可能に取付けられ、±９０°の回転が許容されているのが望ましい。すなわち、ファイバの接続、余長処理作業は、点線のように作業面側にトレイ蓋２３が来るように回転させ、作業終了後に実線の位置に戻し、第２のスリーブ６を嵌めて閉塞する。余長収納トレイ２２の下方には、ドロップ光ケーブル把持具２４が設けられ、分岐作業中はドロップ光ケーブル３を所定位置に保持し、作業終了後はクロージャ内にドロップ光ケーブル３を引き止め固定する。
【００２８】
図８〜図９は、余長収納部２１に設置される余長収納トレイ２２の一例を示す図、図１０はドロップ光ケーブル把持具２４の一例を示す図である。図中、２５ａはトレイ底壁、２５ｂはトレイ側壁、２６はファイバ接続部保持片、２７はファイバ保持片、２７ａは開口、２８ａ，２８ｂはトレイ蓋保持片、２８ｃは開口、２９はトレイ取付部、３０は把持具ベース、３１は把持スロット、３２はケーブル抑え片を示す。
【００２９】
余長収納トレイ２２は、図８に示すように、底壁２５ａと互いに平行な一対の側壁２５ｂからなる断面凹状で、透明プラスチック等により形成されている。底壁２５ａの所定部分には、ファイバ接続部を着脱可能に弾性保持するファイバ接続部保持片２６が一体に設けられ、支持フレームに支持させるためのトレイ取付け部２９が形成されている。側壁２５ｂには、光ファイバをトレイ内に収納保持するファイバ保持片２７及びトレイ蓋２３を保持するトレイ蓋保持片２８ａ，２８ｂが一体に設けられている。また、底壁２５ａには、ファイバ保持片２７及びトレイ蓋保持片２８ａ，２８ｂを一体に成形するための開口２７ａ，２８ｃが形成されている。
【００３０】
トレイ蓋２３は、余長収納トレイ２２と同様な透明プラスチックにより長方形状に形成され、図９に示すように、余長収納トレイ２２の側壁に設けた上側のトレイ蓋保持片２８ａと下側のトレイ蓋保持片２８ｂで挟むようにして取付けられる。取付に際しては一方の縁部をトレイ側壁の保持片２８ａと２８ｂの間に挿入させた後、反対側のトレイ側壁を２点鎖線のように押し開いて他方の縁部を保持片２８ａと２８ｂの間に嵌め込むことにより簡単に取付けることができる。
【００３１】
ドロップ光ケーブル把持具２４は、余長収納トレイ２２の端部側に位置するように設置（図６では余長収納トレイ２２の取付け位置の下方に設置）される。このドロップ光ケーブル把持具２４は、例えば、図１０に示すように、把持具ベース３０に複数の把持スロット３１とケーブル抑え片３２を備えた形状で、合成樹脂の成形により形成される。把持スロット３１内には、弾性部材（図示せず）が配されていて、ドロップ光ケーブル３は、外被部分を把持スロット３１内に押し込むことにより把持される。１つの把持スロット３１には、ドロップ光ケーブル３を挿入保持させることができ、また、ケーブル抑え片３２により、引出し方向を所定の方向に揃えることができ、作業性を高めることができる。
【００３２】
図１１は、上述の構成のクロージャで分岐作業の一例を示す図である。主光ケーブル２に沿って取付けられた余長収納トレイ２２は、図７で説明したように、その開放面側が作業面側を向くように回動される。次いで、図１１（Ａ）に示すように、主光ケーブル２から分岐される光ファイバ２ａは、外被の除去際で切断され、クロージャ下方から導入される分岐用のドロップ光ケーブル３の光ファイバ３ａと融着又はメカニカル接続により接続される。ドロップ光ケーブル３は、余長収納トレイ２２の下部に取付けられているドロップ光ケーブル把持具２４により保持され、導入長さ等が確保されている。
【００３３】
光ファイバ２ａと３ａとのファイバ接続部４は、余長収納トレイ２２に設けられているファイバ接続部保持片２６に挿入して保持させ、余長部分はファイバ保持片２７に潜らせて収納する。全てのドロップ光ケーブル３の接続と収納作業が終えたら、図９で示したようにトレイ蓋２３でふたをし、次いで、余長収納部２１の全体を１８０度回動して反対側の余長収納トレイ２２の開放面側を作業面側に向ける。同様にファイバ接続と余長収納を行ない、作業終了後、余長収納部２１を図７の実線位置に戻し、スリーブで囲う。
【００３４】
図６に戻ってスリーブの取付けを説明すると、第１の実施形態と同様に、第１のスリーブ５の側壁側から主光ケーブル２を挿入し、第１のシール部材７のスリット７ａに挿入把持させて第１のスリーブ５を主ケーブル２上に支持させる。この第１のスリーブ５の取付け支持は、上述の接続、余長収納作業の前であっても、後であってもよい。次いで、第２のスリーブ６の開口部側から複数本のドロップ光ケーブル３を順次挿入し、第２のシール部材８のスリット８ａに挿入把持させる。そして、第１のスリーブ５と第２のスリーブ６の側壁を互いに嵌合又は接合させて閉塞させ、また、第２の側壁で第１のシール部材７のスリット７ａの入口を閉鎖する。
【図面の簡単な説明】
【００３５】
【図１】本発明の第１の実施形態の概略を説明する図である。
【図２】本発明によるクロージャ筐体の組付けの概略を説明する図である。
【図３】本発明の第１の実施形態における余長収納部の概略を説明する図である。
【図４】本発明の第１の実施形態における余長収納部の詳細を説明する図である。
【図５】本発明で使用する把持部材の一例を示す図である。
【図６】本発明の第２の実施形態の概略を説明する図である。
【図７】本発明の第２の実施形態における余長収納部の概略を説明する図である。
【図８】本発明の第２の実施形態で使用する余長収納トレイの一例を示す図である。
【図９】図８の余長収納トレイに蓋をした状態を示す図である。
【図１０】本発明の第２の実施形態で使用するドロップケーブル把持具の一例を示す図である。
【図１１】本発明の第２の実施形態における分岐作業を説明する図である。
【符号の説明】
【００３６】
１…光ファイバ用クロージャ（クロージャ）、２…主光ケーブル、３…分岐用光ケーブル（ドロップ光ケーブル）、２ａ，３ａ…光ファイバ、４…ファイバ接続部、５…第１のスリーブ、６…第２のスリーブ、７…第１のシール部材、８…第２のシール部材、７ａ，８ａ…スリット、９…把持部材、１０…支持フレーム、１１…余長収納部、１２…ガイド部、１３…余長収納ケース、１４…ファイバ接続部の挿着部、１５…ケーブル把持部、１５ａ…ケーブル抑え片、１７…把持部材本体、１７ａ…ベース部、１７ｂ…アーム部、１７ｃ…フレーム支持部、１８ａ，１８ｂ…クランプねじ、１８ｃ…取付けねじ、２１…余長収納部、２２…余長収納トレイ、２３…トレイ蓋、２４…ドロップ光ケーブル把持具、２５ａ…トレイ底壁、２５ｂ…トレイ側壁、２６…ファイバ接続部保持片、２７…ファイバ保持片、２７ａ…開口、２８ａ，２８ｂ…トレイ蓋保持片、２８ｃ…開口、２９…トレイ取付部、３０…把持具ベース、３１…把持スロット、３２…ケーブル抑え片。
【図１】
2005140826.tif 000003
【図２】
2005140826.tif 000004
【図３】
2005140826.tif 000005
【図４】
2005140826.tif 000006
【図５】
2005140826.tif 000007
【図６】
2005140826.tif 000008
【図７】
2005140826.tif 000009
【図８】
2005140826.tif 000010
【図９】
2005140826.tif 000011
【図１０】
2005140826.tif 000012
【図１１】
2005140826.tif 000013